(57)【要約】【課題】本発明はビニール袋収集可能な貯蔵システムを開示した。【解決手段】箱を含み、前記箱の中には上方に開口した開口チャンバが設けられ、前記開口チャンバの中には第一折り畳み板が前後に対称的に、且つ回転できるように設けられ、前後の前記第一折り畳み板の間には第二折り畳み板とヒンジ板とが回転できるように設けられ、前記ヒンジ板が前記第二折り畳み板の右側に位置し、前記開口チャンバの中には折り畳み装置が設けられ、前記ヒンジ板と前記折り畳み装置とが回転できるように連結され、前記第二折り畳み板と前記第一折り畳み板とが前記折り畳み装置に固定的に連結され、ビニール袋を前記第二折り畳み板と、前記第一折り畳み板と、前記ヒンジ板とに平に広げ、前記折り畳み装置は前記第二折り畳み板と前記第一折り畳み板とを回転連動させることができる。【選択図】図１
2020200108.tif 000002
【特許請求の範囲】
【請求項１】
正面視で、箱を含み、
前記箱の中には上方に開口した開口チャンバが設けられ、前記開口チャンバの中には第一折り畳み板が前後に対称的に、且つ回転できるように設けられ、前後の前記第一折り畳み板の間には第二折り畳み板とヒンジ板とが回転できるように設けられ、前記ヒンジ板が前記第二折り畳み板の右側に位置し、前記開口チャンバの中には折り畳み装置が設けられ、前記ヒンジ板と前記折り畳み装置とが回転できるように連結され、前記第二折り畳み板と前記第一折り畳み板とが前記折り畳み装置に固定的に連結され、ビニール袋を前記第二折り畳み板と、前記第一折り畳み板と、前記ヒンジ板とに平に広げ、前記折り畳み装置は前記第二折り畳み板と前記第一折り畳み板とを回転連動させることができ、これによって前記第二折り畳み板と前記第一折り畳み板とに平に広げられたビニール袋を前記ヒンジ板に折り畳み、
前記開口チャンバの左側内壁の中には押し動かし装置が設けられ、前記押し動かし装置は前記ヒンジ板に折り畳まれたビニール袋を押してスライドさせることができ、
前記開口チャンバの前側内壁の中には送りチャンバが設けられ、前記送りチャンバの中には回転板が回転できるように設けられ、前記回転板の下端には送り装置が当接しており、前記送り装置は折り畳まれたビニール袋を送ることができ、前記送り装置と前記押し動かし装置とがねじ山によって連結されていることを特徴とするビニール袋収集可能な貯蔵システム。
【請求項２】
前記折り畳み装置は前記開口チャンバの左右内壁の間に前後対称に設けられた回転可能な第一回転軸を含み、前記第一回転軸と前記第一折り畳み板とが固定的に連結され、前記開口チャンバの左側内壁の中にはベルトチャンバが連通するように設けられ、前記ベルトチャンバの中には後側上プーリーと前側上プーリーとが回転できるように設けられ、前記後側上プーリーが前記前側上プーリーの上側に位置し、上側の前記第一回転軸の左端が前記ベルトチャンバの中に伸びており、且つ前記後側上プーリーと固定的に連結され、下側の前記第一回転軸の左端が前記ベルトチャンバの中に伸びており、且つ前記前側上プーリーと固定的に連結され、前記後側上プーリーと前記前側上プーリーとの間にはベルトが連結され、前記ベルトチャンバの下側内壁の中には同期チャンバが連通するように設けられ、前記同期チャンバの中には下プーリーが回転できるように設けられ、前記下プーリーと前記前側上プーリーとの間には同期ベルトが連結され、前記下プーリーの中には回転軸が固定的に連結され、前記同期チャンバの右側内壁の中にはモーター軸チャンバが設けられ、前記回転軸の右端が前記モーター軸チャンバの中に伸びており、且つ第一傘歯車と固定的に連結され、第二傘歯車は前記第一傘歯車の前端に噛合するように連結されることができ、前記第二傘歯車の中には第一モーター軸がスプラインによって連結され、前記モーター軸チャンバの後側内壁の中には第一モーターが固定的に設けられ、前記第一モーター軸の後端が前記第一モーターに伝動できるように連結され、前記第一モーター軸の円周面には水平傘歯車がスプラインによって連結され、前記水平傘歯車が前記第二傘歯車の前側に位置し、前記水平傘歯車と前記第二傘歯車との間には軸スリーブが固定的に連結され、前記軸スリーブが前記第一モーター軸に回転できるように連結されていることを特徴とする請求項１に記載のビニール袋収集可能な貯蔵システム。
【請求項３】
前記モーター軸チャンバの右側内壁の中にはバネチャンバが連通するように設けられ、前記バネチャンバの中には電磁石がスライドできるように設けられ、前記電磁石の下端と前記バネチャンバの下側内壁との間にはバネが固定的に連結され、前記電磁石の上端には押板が固定的に連結されていることを特徴とする請求項２に記載のビニール袋収集可能な貯蔵システム。
【請求項４】
前記押し動かし装置は前記開口チャンバの左側内壁の中に連通するように設けられたスライドチャンバを含み、前記スライドチャンバの上下内壁の間には固定軸が回転できるように設けられ、前記固定軸の円周面にはネジ山ブロックが上下対称に、且つねじ山によって連結され、前記スライドチャンバの中にはスライド板がスライドできるように設けられ、前記スライド板の中には左方に開口したスライドブロックチャンバが設けられ、前記スライドブロックチャンバの中にはスライドブロックが上下に対称的に、且つスライドできるように設けられ、両側の前記スライドブロックと両側の前記ネジ山ブロックとの間にはそれぞれ回転ロッドがヒンジによって連結され、前記ネジ山ブロックはスライドし前記回転ロッドを回転連動させることができ、これによって前記スライド板をスライド連動させ、両側の前記ネジ山ブロックの間には第四傘歯車が回転できるように設けられ、前記第四傘歯車が前記固定軸に固定的に連結され、前記第四傘歯車の後端には第五傘歯車が噛合するように設けられ、前記第五傘歯車の中には縦軸が固定的に連結され、前記スライドチャンバの後側内壁の中には噛合チャンバが設けられ、前記縦軸の後端が前記噛合チャンバの中に伸びており、且つ第六傘歯車と固定的に連結され、前記噛合チャンバの中には第二モーター軸が回転できるように設けられ、前記第二モーター軸の円周面には第七傘歯車が固定的に連結され、前記第七傘歯車の前端が前記第六傘歯車に噛合するように設けられ、前記噛合チャンバの左側内壁の中には第二モーターが固定的に設けられ、前記第二モーター軸の左端が前記第二モーターに伝動できるように連結されていることを特徴とする請求項１に記載のビニール袋収集可能な貯蔵システム。
【請求項５】
前記固定軸の上下両端のネジ山の方向が逆であり、前記第四傘歯車が回転するとき、前記固定軸により前後二つの前記ネジ山ブロックをスライド連動させて互いに近寄らせあるいは離れさせることを特徴とする請求項４に記載のビニール袋収集可能な貯蔵システム。
【請求項６】
前記送り装置は前記送りチャンバの後側内壁の中に設けられた滑りブロック溝を含み、前記滑りブロック溝の中には滑りブロックがスライドできるように設けられ、前記滑りブロックが前記第二モーター軸にねじ山によって連結され、前記滑りブロックの前端には下ヒンジロッドがヒンジによって連結され、前記下ヒンジロッドの前端には上ヒンジロッドがヒンジによって連結され、前記上ヒンジロッドの後端が前記送りチャンバの左側内壁にヒンジによって連結され、前記上ヒンジロッドの前端が前記回転板に当接していることを特徴とする請求項１に記載のビニール袋収集可能な貯蔵システム。
【請求項７】
前記送りチャンバの上下内壁の間にはトーションバネチャンバが対称的に、且つ連通するように設けられ、前記トーションバネチャンバの中には旋転軸が回転できるように設けられ、前記旋転軸のうち対称中心から離れた一端と前記トーションバネチャンバのうち対称中心から離れた側の内壁との間にはトーションバネが固定的に連結され、前記旋転軸の円周面には回転板が固定的に連結されていることを特徴とする請求項６に記載のビニール袋収集可能な貯蔵システム。
【請求項８】
前記送りチャンバの右側内壁の中には空きチャンバが連通するように設けられ、前記空きチャンバの中には右方に開口した収納溝が設けられていることを特徴とする請求項６に記載のビニール袋収集可能な貯蔵システム。
【発明の詳細な説明】
【技術分野】
【０００１】
本発明は環境保護分野を取り上げて、具体的にはビニール袋収集可能な貯蔵システムである。
【背景技術】
【０００２】
生活の中で、ビニール袋はよく使用されており、しかし使用後に随意に置かれ、また使用しようとする時にすぐ見つけることができなく、また、ビニール袋をポイ捨てすると環境を汚染し、従って、ビニール袋を収集できる貯蔵システムを設計する必要があり、本発明はビニール袋を折り畳むことにより、ビニール袋が占めした空間を減らし、送り装置により折り畳まれたビニール袋を送り、ビニール袋を集めることができ、使用者がビニール袋を使おうとする時、ビニール袋を探すことにかかる時間を有効に減らし、環境を保護できる。
【先行技術文献】
【特許文献】
【０００３】
【特許文献１】中国特許出願公開第１０７９１４９２４号明細書
【発明の概要】
【発明が解決しようとする課題】
【０００４】
本発明の目的はビニール袋収集可能な貯蔵システムを提供し、それは上記の現在の技術中の問題を解決できる。
【課題を解決するための手段】
【０００５】
上記の課題を解決するため、本発明は以下の技術プランを採用する：本発明の前記ビニール袋収集可能な貯蔵システムは、箱を含み、前記箱の中には上方に開口した開口チャンバが設けられ、前記開口チャンバの中には第一折り畳み板が前後に対称的に、且つ回転できるように設けられ、前後の前記第一折り畳み板の間には第二折り畳み板とヒンジ板とが回転できるように設けられ、前記ヒンジ板が前記第二折り畳み板の右側に位置し、前記開口チャンバの中には折り畳み装置が設けられ、前記ヒンジ板と前記折り畳み装置とが回転できるように連結され、前記第二折り畳み板と前記第一折り畳み板とが前記折り畳み装置に固定的に連結され、ビニール袋を前記第二折り畳み板と、前記第一折り畳み板と、前記ヒンジ板とに平に広げ、前記折り畳み装置は前記第二折り畳み板と前記第一折り畳み板とを回転連動させることができ、これによって前記第二折り畳み板と前記第一折り畳み板とに平に広げられたビニール袋を前記ヒンジ板に折り畳み、前記開口チャンバの左側内壁の中には押し動かし装置が設けられ、前記押し動かし装置は前記ヒンジ板に折り畳まれたビニール袋を押してスライドさせることができ、前記開口チャンバの前側内壁の中には送りチャンバが設けられ、前記送りチャンバの中には回転板が回転できるように設けられ、前記回転板の下端には送り装置が当接しており、前記送り装置は折り畳まれたビニール袋を送ることができ、前記送り装置と前記押し動かし装置とがねじ山によって連結されている。
【０００６】
優選の技術プランとして、前記折り畳み装置は前記開口チャンバの左右内壁の間に前後対称に設けられた回転可能な第一回転軸を含み、前記第一回転軸と前記第一折り畳み板とが固定的に連結され、前記開口チャンバの左側内壁の中にはベルトチャンバが連通するように設けられ、前記ベルトチャンバの中には後側上プーリーと前側上プーリーとが回転できるように設けられ、前記後側上プーリーが前記前側上プーリーの上側に位置し、上側の前記第一回転軸の左端が前記ベルトチャンバの中に伸びており、且つ前記後側上プーリーと固定的に連結され、下側の前記第一回転軸の左端が前記ベルトチャンバの中に伸びており、且つ前記前側上プーリーと固定的に連結され、前記後側上プーリーと前記前側上プーリーとの間にはベルトが連結され、前記ベルトチャンバの下側内壁の中には同期チャンバが連通するように設けられ、前記同期チャンバの中には下プーリーが回転できるように設けられ、前記下プーリーと前記前側上プーリーとの間には同期ベルトが連結され、前記下プーリーの中には回転軸が固定的に連結され、前記同期チャンバの右側内壁の中にはモーター軸チャンバが設けられ、前記回転軸の右端が前記モーター軸チャンバの中に伸びており、且つ第一傘歯車と固定的に連結され、第二傘歯車は前記第一傘歯車の前端に噛合するように連結されることができ、前記第二傘歯車の中には第一モーター軸がスプラインによって連結され、前記モーター軸チャンバの後側内壁の中には第一モーターが固定的に設けられ、前記第一モーター軸の後端が前記第一モーターに伝動できるように連結され、前記第一モーター軸の円周面には水平傘歯車がスプラインによって連結され、前記水平傘歯車が前記第二傘歯車の前側に位置し、前記水平傘歯車と前記第二傘歯車との間には軸スリーブが固定的に連結され、前記軸スリーブが前記第一モーター軸に回転できるように連結されている。
【０００７】
優選の技術プランとして、前記モーター軸チャンバの右側内壁の中にはバネチャンバが連通するように設けられ、前記バネチャンバの中には電磁石がスライドできるように設けられ、前記電磁石の下端と前記バネチャンバの下側内壁との間にはバネが固定的に連結され、前記電磁石の上端には押板が固定的に連結され、前記押板は前記第二傘歯車を押して昇降させることができる。
【０００８】
優選の技術プランとして、前記押し動かし装置は前記開口チャンバの左側内壁の中に連通するように設けられたスライドチャンバを含み、前記スライドチャンバの上下内壁の間には固定軸が回転できるように設けられ、前記固定軸の円周面にはネジ山ブロックが上下対称に、且つねじ山によって連結され、前記スライドチャンバの中にはスライド板がスライドできるように設けられ、前記スライド板の中には左方に開口したスライドブロックチャンバが設けられ、前記スライドブロックチャンバの中にはスライドブロックが上下に対称的に、且つスライドできるように設けられ、両側の前記スライドブロックと両側の前記ネジ山ブロックとの間にはそれぞれ回転ロッドがヒンジによって連結され、前記ネジ山ブロックはスライドし前記回転ロッドを回転連動させることができ、これによって前記スライド板をスライド連動させ、両側の前記ネジ山ブロックの間には第四傘歯車が回転できるように設けられ、前記第四傘歯車が前記固定軸に固定的に連結され、前記第四傘歯車の後端には第五傘歯車が噛合するように設けられ、前記第五傘歯車の中には縦軸が固定的に連結され、前記スライドチャンバの後側内壁の中には噛合チャンバが設けられ、前記縦軸の後端が前記噛合チャンバの中に伸びており、且つ第六傘歯車と固定的に連結され、前記噛合チャンバの中には第二モーター軸が回転できるように設けられ、前記第二モーター軸の円周面には第七傘歯車が固定的に連結され、前記第七傘歯車の前端が前記第六傘歯車に噛合するように設けられ、前記噛合チャンバの左側内壁の中には第二モーターが固定的に設けられ、前記第二モーター軸の左端が前記第二モーターに伝動できるように連結されている。
【０００９】
優選の技術プランとして、前記固定軸の上下両端のネジ山の方向が逆であり、前記第四傘歯車が回転するとき、前記固定軸により前後二つの前記ネジ山ブロックをスライド連動させて互いに近寄らせあるいは離れさせる。
【００１０】
優選の技術プランとして、前記送り装置は前記送りチャンバの後側内壁の中に設けられた滑りブロック溝を含み、前記滑りブロック溝の中には滑りブロックがスライドできるように設けられ、前記滑りブロックが前記第二モーター軸にねじ山によって連結され、前記滑りブロックの前端には下ヒンジロッドがヒンジによって連結され、前記下ヒンジロッドの前端には上ヒンジロッドがヒンジによって連結され、前記上ヒンジロッドの後端が前記送りチャンバの左側内壁にヒンジによって連結され、前記上ヒンジロッドの前端が前記回転板に当接しており、前記滑りブロックはスライドし前記下ヒンジロッドを回転連動させることができ、これによって前記上ヒンジロッドを回転連動させ、これによって前記回転板を回転連動させることができる。
【００１１】
優選の技術プランとして、前記送りチャンバの上下内壁の間にはトーションバネチャンバが対称的に、且つ連通するように設けられ、前記トーションバネチャンバの中には旋転軸が回転できるように設けられ、前記旋転軸のうち対称中心から離れた一端と前記トーションバネチャンバのうち対称中心から離れた側の内壁との間にはトーションバネが固定的に連結され、前記旋転軸の円周面には回転板が固定的に連結されている。
【００１２】
優選の技術プランとして、有益に、前記送りチャンバの右側内壁の中には空きチャンバが連通するように設けられ、前記空きチャンバの中には右方に開口した収納溝が設けられ、前記回転板にあるビニール袋は収納溝の中に滑り入ることができ、これによって便利にビニール袋を取り出すことができる。
【発明の効果】
【００１３】
本発明はビニール袋を折り畳むことにより、ビニール袋の占めした空間を減らし、送り装置により折り畳まれたビニール袋を送り、ビニール袋を集めることができ、ビニール袋がポイ捨てされることなく、環境を保護できる。
【図面の簡単な説明】
【００１４】
下記に図１〜７をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１５】
【図１】図１は本発明のビニール袋収集可能な貯蔵システムの全体構成略図
【図２】図２は図１のＡ―Ａ方向の構成略図
【図３】図３は図１のＢ―Ｂ方向の構成略図
【図４】図４は図１のＣ―Ｃ方向の構成略図
【図５】図５は図２のＤ―Ｄの拡大略図
【図６】図６は図５のＥ―Ｅ方向の構成略図
【図７】図７は図１のＦの拡大略図
【発明を実施するための形態】
【００１６】
本発明はビニール袋収集可能な貯蔵システムを取り上げ、主にビニール袋の収集に適応され、以下に、付図を合わせて本発明について説明する：
【００１７】
本発明の前記ビニール袋収集可能な貯蔵システムは、箱１０を含み、前記箱１０の中には上方に開口した開口チャンバ３３が設けられ、前記開口チャンバ３３の中には第一折り畳み板１７が前後に対称的に、且つ回転できるように設けられ、前後の前記第一折り畳み板１７の間には第二折り畳み板２６とヒンジ板３２とが回転できるように設けられ、前記ヒンジ板３２が前記第二折り畳み板２６の右側に位置し、前記開口チャンバ３３の中には折り畳み装置１００が設けられ、前記ヒンジ板３２と前記折り畳み装置１００とが回転できるように連結され、前記第二折り畳み板２６と前記第一折り畳み板１７とが前記折り畳み装置１００に固定的に連結され、ビニール袋を前記第二折り畳み板２６と、前記第一折り畳み板１７と、前記ヒンジ板３２とに平に広げ、前記折り畳み装置１００は前記第二折り畳み板２６と前記第一折り畳み板１７とを回転連動させることができ、これによって前記第二折り畳み板２６と前記第一折り畳み板１７とに平に広げられたビニール袋を前記ヒンジ板３２に折り畳み、前記開口チャンバ３３の左側内壁の中には押し動かし装置１０１が設けられ、前記押し動かし装置１０１は前記ヒンジ板３２に折り畳まれたビニール袋を押してスライドさせることができ、前記開口チャンバ３３の前側内壁の中には送りチャンバ６２が設けられ、前記送りチャンバ６２の中には回転板２３が回転できるように設けられ、前記回転板２３の下端には送り装置１０２が当接しており、前記送り装置１０２は折り畳まれたビニール袋を送ることができ、前記送り装置１０２と前記押し動かし装置１０１とがねじ山によって連結されている。
【００１８】
以下に前記折り畳み装置１００について詳しく説明し、前記折り畳み装置１００は前記開口チャンバ３３の左右内壁の間に前後対称に設けられた回転可能な第一回転軸１８を含み、前記第一回転軸１８と前記第一折り畳み板１７とが固定的に連結され、前記開口チャンバ３３の左側内壁の中にはベルトチャンバ１１が連通するように設けられ、前記ベルトチャンバ１１の中には後側上プーリー１２と前側上プーリー１４とが回転できるように設けられ、前記後側上プーリー１２が前記前側上プーリー１４の上側に位置し、上側の前記第一回転軸１８の左端が前記ベルトチャンバ１１の中に伸びており、且つ前記後側上プーリー１２と固定的に連結され、下側の前記第一回転軸１８の左端が前記ベルトチャンバ１１の中に伸びており、且つ前記前側上プーリー１４と固定的に連結され、前記後側上プーリー１２と前記前側上プーリー１４との間にはベルト３１が連結され、前記ベルトチャンバ１１の下側内壁の中には同期チャンバ１６が連通するように設けられ、前記同期チャンバ１６の中には下プーリー３４が回転できるように設けられ、前記下プーリー３４と前記前側上プーリー１４との間には同期ベルト１３が連結され、前記下プーリー３４の中には回転軸３５が固定的に連結され、前記同期チャンバ１６の右側内壁の中にはモーター軸チャンバ６３が設けられ、前記回転軸３５の右端が前記モーター軸チャンバ６３の中に伸びており、且つ第一傘歯車３６と固定的に連結され、第二傘歯車４３は前記第一傘歯車３６の前端に噛合するように連結されることができ、前記第二傘歯車４３の中には第一モーター軸３８がスプラインによって連結され、前記モーター軸チャンバ６３の後側内壁の中には第一モーター３７が固定的に設けられ、前記第一モーター軸３８の後端が前記第一モーター３７に伝動できるように連結され、前記第一モーター軸３８の円周面には水平傘歯車４５がスプラインによって連結され、前記水平傘歯車４５が前記第二傘歯車４３の前側に位置し、前記水平傘歯車４５と前記第二傘歯車４３との間には軸スリーブ４４が固定的に連結され、前記軸スリーブ４４が前記第一モーター軸３８に回転できるように連結されている。
【００１９】
有益に、前記モーター軸チャンバ６３の右側内壁の中にはバネチャンバ４０が連通するように設けられ、前記バネチャンバ４０の中には電磁石４１がスライドできるように設けられ、前記電磁石４１の下端と前記バネチャンバ４０の下側内壁との間にはバネ３９が固定的に連結され、前記電磁石４１の上端には押板４２が固定的に連結され、前記押板４２は前記第二傘歯車４３を押して昇降させることができる。
【００２０】
以下に前記押し動かし装置１０１について詳しく説明し、前記押し動かし装置１０１は前記開口チャンバ３３の左側内壁の中に連通するように設けられたスライドチャンバ４７を含み、前記スライドチャンバ４７の上下内壁の間には固定軸４９が回転できるように設けられ、前記固定軸４９の円周面にはネジ山ブロック５９が上下対称に、且つねじ山によって連結され、前記スライドチャンバ４７の中にはスライド板４８がスライドできるように設けられ、前記スライド板４８の中には左方に開口したスライドブロックチャンバ６０が設けられ、前記スライドブロックチャンバ６０の中にはスライドブロック６１が上下に対称的に、且つスライドできるように設けられ、両側の前記スライドブロック６１と両側の前記ネジ山ブロック５９との間にはそれぞれ回転ロッド５４がヒンジによって連結され、前記ネジ山ブロック５９はスライドし前記回転ロッド５４を回転連動させることができ、これによって前記スライド板４８をスライド連動させ、両側の前記ネジ山ブロック５９の間には第四傘歯車５５が回転できるように設けられ、前記第四傘歯車５５が前記固定軸４９に固定的に連結され、前記第四傘歯車５５の後端には第五傘歯車５６が噛合するように設けられ、前記第五傘歯車５６の中には縦軸５７が固定的に連結され、前記スライドチャンバ４７の後側内壁の中には噛合チャンバ５０が設けられ、前記縦軸５７の後端が前記噛合チャンバ５０の中に伸びており、且つ第六傘歯車５３と固定的に連結され、前記噛合チャンバ５０の中には第二モーター軸５１が回転できるように設けられ、前記第二モーター軸５１の円周面には第七傘歯車５２が固定的に連結され、前記第七傘歯車５２の前端が前記第六傘歯車５３に噛合するように設けられ、前記噛合チャンバ５０の左側内壁の中には第二モーター５８が固定的に設けられ、前記第二モーター軸５１の左端が前記第二モーター５８に伝動できるように連結されている。
【００２１】
有益に、前記固定軸４９の上下両端のネジ山の方向が逆であり、前記第四傘歯車５５が回転するとき、前記固定軸４９により前後二つの前記ネジ山ブロック５９をスライド連動させて互いに近寄らせあるいは離れさせる。
【００２２】
以下に送り装置１０２について詳しく説明し、前記送り装置１０２は前記送りチャンバ６２の後側内壁の中に設けられた滑りブロック溝３０を含み、前記滑りブロック溝３０の中には滑りブロック２９がスライドできるように設けられ、前記滑りブロック２９が前記第二モーター軸５１にねじ山によって連結され、前記滑りブロック２９の前端には下ヒンジロッド２８がヒンジによって連結され、前記下ヒンジロッド２８の前端には上ヒンジロッド２７がヒンジによって連結され、前記上ヒンジロッド２７の後端が前記送りチャンバ６２の左側内壁にヒンジによって連結され、前記上ヒンジロッド２７の前端が前記回転板２３に当接しており、前記滑りブロック２９はスライドし前記下ヒンジロッド２８を回転連動させることができ、これによって前記上ヒンジロッド２７を回転連動させ、これによって前記回転板２３を回転連動させることができる。
【００２３】
有益に、前記送りチャンバ６２の上下内壁の間にはトーションバネチャンバ２２が対称的に、且つ連通するように設けられ、前記トーションバネチャンバ２２の中には旋転軸２０が回転できるように設けられ、前記旋転軸２０のうち対称中心から離れた一端と前記トーションバネチャンバ２２のうち対称中心から離れた側の内壁との間にはトーションバネ２１が固定的に連結され、前記旋転軸２０の円周面には回転板２３が固定的に連結され、前記トーションバネ２１は前記回転板２３を回転連動させることができる。
【００２４】
有益に、前記送りチャンバ６２の右側内壁の中には空きチャンバ６６が連通するように設けられ、前記空きチャンバ６６の中には右方に開口した収納溝２４が設けられ、前記回転板２３にあるビニール袋は収納溝２４の中に滑り入ることができ、これによって便利にビニール袋を取り出すことができる。
【００２５】
以下に付図を合わせて本発明のビニール袋収集可能な貯蔵システムの使用手順について詳しく説明する：
【００２６】
初期状態に、トーションバネ２１が張っている状態にあり、電磁石４１が通電されていなく、水平傘歯車４５と第三傘歯車４６とが噛合しており、第二折り畳み板２６と、ヒンジ板３２と、回転板２３とが水平状態にある。
【００２７】
使用するとき、手動でビニール袋全体を第二折り畳み板２６と、第一折り畳み板１７と、ヒンジ板３２とに平に広げ、電磁石４１が通電され、これによって電磁石４１がバネチャンバ４０の中でスライドし、これによってバネ３９を圧縮し、同時に押板４２をスライド連動させ、これによって第二傘歯車４３をスライド連動させ、第二傘歯車４３と第一傘歯車３６とを噛合させ、第一モーター３７を始動し、これによって第一モーター軸３８が回転し、これによって軸スリーブ４４を回転連動させ、これによって第二傘歯車４３を回転連動させ、これによって第一傘歯車３６を回転連動させ、これによって回転軸３５を回転連動させ、これによって下プーリー３４を回転連動させ、これによって同期ベルト１３をスライド連動させ、これによって前側上プーリー１４を回転連動させ、これによってベルト３１を回転連動させ、これによって同時に前後の第一回転軸１８を回転連動させ、これによって前後の第一折り畳み板１７を回転連動させ、これによって第一折り畳み板１７にあるビニール袋を第二折り畳み板２６とヒンジ板３２とに二つに折り畳み、このとき第一モーター３７が逆回転し、これによってベルトチャンバ１１を初期位置に反転連動させ、このとき第一モーター３７が止まり、電磁石４１の通電状態が解除され、水平傘歯車４５と第三傘歯車４６とが噛合し、第一モーター３７を始動し、これによって第一モーター軸３８を回転連動させ、これによって軸スリーブ４４を回転連動させ、これによって水平傘歯車４５を回転連動させ、これによって第三傘歯車４６を回転連動させ、これによって第二回転軸２５を回転連動させ、これによって第二折り畳み板２６を回転連動させ、これによって第二折り畳み板２６にあるビニール袋をヒンジ板３２に二つに折り畳み、このとき第一モーター３７が逆回転し、これによって第二折り畳み板２６を初期状態に反転連動させ、このとき第一モーター軸３８が止まる。
【００２８】
ビニール袋を送る時、第二モーター５８を始動し、これによって第二モーター軸５１を回転連動させ、これによって第七傘歯車５２を回転連動させ、これによって第六傘歯車５３を回転連動させ、これによって縦軸５７を回転連動させ、これによって第五傘歯車５６を回転連動させ、これによって第四傘歯車５５を回転連動させ、これによって固定軸４９を回転連動させ、これによって前後のネジ山ブロック５９を同時にスライド連動させ、これによって回転ロッド５４をスライド連動させ、これによってスライド板４８をスライド連動させ、これによってスライド板４８がヒンジ板３２に折り畳まれたビニール袋を押して回転板２３に辿るまでスライドさせ、同時に第二モーター軸５１が回転し滑りブロック２９をスライド連動させ、これによって下ヒンジロッド２８を回転連動させ、これによって上ヒンジロッド２７を回転連動させ、これによって回転板２３を回転連動させ、これによってビニール袋を送りチャンバ６２の中から空きチャンバ６６の中までスライドさせ、これによってビニール袋が収納溝２４の中に落ち、ビニール袋を使おうとする時、収納溝２４の中から取って使えばいい。
【００２９】
本発明の有益効果は：本発明はビニール袋を折り畳むことにより、ビニール袋の占めした空間を減らし、送り装置により折り畳まれたビニール袋を送り、ビニール袋を集めることができ、ビニール袋がポイ捨てされることなく、環境を保護できる。
【００３０】
以上の方式により、本分野の技術者は本発明の範囲内に作動モードにより各種な変化を加えることができる。
【図１】
2020200108.tif 000003
【図２】
2020200108.tif 000004
【図３】
2020200108.tif 000005
【図４】
2020200108.tif 000006
【図５】
2020200108.tif 000007
【図６】
2020200108.tif 000008
【図７】
2020200108.tif 000009
【手続補正書】
【提出日】令和2年1月3日(2020.1.3)
【手続補正１】
【補正対象書類名】特許請求の範囲
【補正対象項目名】全文
【補正方法】変更
【補正の内容】
【特許請求の範囲】
【請求項１】
正面視で、箱を含み、
前記箱の中には後方に開口した開口チャンバが設けられ、前記開口チャンバの中には第一折り畳み板が上下に対称的に、且つ回転できるように設けられ、上下の前記第一折り畳み板の間には第二折り畳み板とヒンジ板とが回転できるように設けられ、前記ヒンジ板が前記第二折り畳み板の右側に位置し、前記開口チャンバの中には折り畳み装置が設けられ、前記ヒンジ板と前記折り畳み装置とが回転できるように連結され、前記第二折り畳み板と前記第一折り畳み板とが前記折り畳み装置に固定的に連結され、ビニール袋を前記第二折り畳み板と、前記第一折り畳み板と、前記ヒンジ板とに平に広げ、前記折り畳み装置は前記第二折り畳み板と前記第一折り畳み板とを回転連動させることができ、これによって前記第二折り畳み板と前記第一折り畳み板とに平に広げられたビニール袋を前記ヒンジ板に折り畳み、
前記開口チャンバの左側内壁の中には押し動かし装置が設けられ、前記押し動かし装置は前記ヒンジ板に折り畳まれたビニール袋を押してスライドさせることができ、
前記開口チャンバの右側内壁の中には送りチャンバが設けられ、前記送りチャンバの中には回転板が回転できるように設けられ、前記回転板の下端には送り装置が当接しており、前記送り装置は折り畳まれたビニール袋を送ることができ、前記送り装置と前記押し動かし装置とがねじ山によって連結され、
前記押し動かし装置は前記開口チャンバの左側内壁の中に連通するように設けられたスライドチャンバを含み、前記スライドチャンバの上下内壁の間には固定軸が回転できるように設けられ、前記固定軸の円周面にはネジ山ブロックが上下対称に、且つねじ山によって連結され、前記スライドチャンバの中にはスライド板がスライドできるように設けられ、前記スライド板の中には左方に開口したスライドブロックチャンバが設けられ、前記スライドブロックチャンバの中にはスライドブロックが上下に対称的に、且つスライドできるように設けられ、両側の前記スライドブロックと両側の前記ネジ山ブロックとの間にはそれぞれ回転ロッドがヒンジによって連結され、前記ネジ山ブロックはスライドし前記回転ロッドを回転連動させることができ、これによって前記スライド板をスライド連動させ、両側の前記ネジ山ブロックの間には第四傘歯車が回転できるように設けられ、前記第四傘歯車が前記固定軸に固定的に連結され、前記第四傘歯車の後端には第五傘歯車が噛合するように設けられ、前記第五傘歯車の中には縦軸が固定的に連結され、前記スライドチャンバの前側内壁の中には噛合チャンバが設けられ、前記縦軸の前端が前記噛合チャンバの中に伸びており、且つ第六傘歯車と固定的に連結され、前記噛合チャンバの中には第二モーター軸が回転できるように設けられ、前記第二モーター軸の円周面には第七傘歯車が固定的に連結され、前記第七傘歯車の前端が前記第六傘歯車に噛合するように設けられ、前記噛合チャンバの左側内壁の中には第二モーターが固定的に設けられ、前記第二モーター軸の左端が前記第二モーターに伝動できるように連結され、
前記固定軸の上下両端のネジ山の方向が逆であり、前記第四傘歯車が回転するとき、前記固定軸により前後二つの前記ネジ山ブロックをスライド連動させて互いに近寄らせあるいは離れさせ、
前記送り装置は前記送りチャンバの前側内壁の中に設けられた滑りブロック溝を含み、前記滑りブロック溝の中には滑りブロックがスライドできるように設けられ、前記滑りブロックが前記第二モーター軸にねじ山によって連結され、前記滑りブロックの後端には下ヒンジロッドがヒンジによって連結され、前記下ヒンジロッドの後端には上ヒンジロッドがヒンジによって連結され、前記上ヒンジロッドの前端が前記送りチャンバの左側内壁にヒンジによって連結され、前記上ヒンジロッドの後端が前記回転板に当接し、
前記送りチャンバの上下内壁の間にはトーションバネチャンバが対称的に、且つ連通するように設けられ、前記トーションバネチャンバの中には旋転軸が回転できるように設けられ、前記旋転軸のうち対称中心から離れた一端と前記トーションバネチャンバのうち対称中心から離れた側の内壁との間にはトーションバネが固定的に連結され、前記旋転軸の円周面には回転板が固定的に連結され、
前記送りチャンバの右側内壁の中には空きチャンバが連通するように設けられ、前記空きチャンバの中には右方に開口した収納溝が設けられていることを特徴とするビニール袋収集可能な貯蔵システム。
【請求項２】
前記折り畳み装置は前記開口チャンバの左右内壁の間に上下対称に設けられた回転可能な第一回転軸を含み、前記第一回転軸と前記第一折り畳み板とが固定的に連結され、前記開口チャンバの左側内壁の中にはベルトチャンバが連通するように設けられ、前記ベルトチャンバの中には後側上プーリーと前側上プーリーとが回転できるように設けられ、前記後側上プーリーが前記前側上プーリーの上側に位置し、上側の前記第一回転軸の左端が前記ベルトチャンバの中に伸びており、且つ前記後側上プーリーと固定的に連結され、下側の前記第一回転軸の左端が前記ベルトチャンバの中に伸びており、且つ前記前側上プーリーと固定的に連結され、前記後側上プーリーと前記前側上プーリーとの間にはベルトが連結され、前記ベルトチャンバの下側内壁の中には同期チャンバが連通するように設けられ、前記同期チャンバの中には下プーリーが回転できるように設けられ、前記下プーリーと前記前側上プーリーとの間には同期ベルトが連結され、前記下プーリーの中には回転軸が固定的に連結され、前記同期チャンバの後側内壁の中にはモーター軸チャンバが設けられ、前記回転軸の後端が前記モーター軸チャンバの中に伸びており、且つ第一傘歯車と固定的に連結され、第二傘歯車は前記第一傘歯車の後端に噛合するように連結されることができ、前記第二傘歯車の中には第一モーター軸がスプラインによって連結され、前記モーター軸チャンバの底壁の中には第一モーターが固定的に設けられ、前記第一モーター軸の下端が前記第一モーターに伝動できるように連結され、前記第一モーター軸の円周面には水平傘歯車がスプラインによって連結され、前記水平傘歯車が前記第二傘歯車の上側に位置し、前記水平傘歯車と前記第二傘歯車との間には軸スリーブが固定的に連結され、前記軸スリーブが前記第一モーター軸に回転できるように連結されていることを特徴とする請求項１に記載のビニール袋収集可能な貯蔵システム。
【請求項３】
前記モーター軸チャンバの後側内壁の中にはバネチャンバが連通するように設けられ、前記バネチャンバの中には電磁石がスライドできるように設けられ、前記電磁石の下端と前記バネチャンバの下側内壁との間にはバネが固定的に連結され、前記電磁石の上端には押板が固定的に連結されていることを特徴とする請求項２に記載のビニール袋収集可能な貯蔵システム。
【手続補正２】
【補正対象書類名】図面
【補正対象項目名】図２
【補正方法】変更
【補正の内容】
【図２】
2020200108.tif 000010
【手続補正３】
【補正対象書類名】明細書
【補正対象項目名】全文
【補正方法】変更
【補正の内容】
【発明の詳細な説明】
【技術分野】
【０００１】
本発明は環境保護分野を取り上げて、具体的にはビニール袋収集可能な貯蔵システムである。
【背景技術】
【０００２】
生活の中で、ビニール袋はよく使用されており、しかし使用後に随意に置かれ、また使用しようとする時にすぐ見つけることができなく、また、ビニール袋をポイ捨てすると環境を汚染し、従って、ビニール袋を収集できる貯蔵システムを設計する必要があり、本発明はビニール袋を折り畳むことにより、ビニール袋が占めした空間を減らし、送り装置により折り畳まれたビニール袋を送り、ビニール袋を集めることができ、使用者がビニール袋を使おうとする時、ビニール袋を探すことにかかる時間を有効に減らし、環境を保護できる。
【先行技術文献】
【特許文献】
【０００３】
【特許文献１】中国特許出願公開第１０７９１４９２４号明細書
【発明の概要】
【発明が解決しようとする課題】
【０００４】
本発明の目的はビニール袋収集可能な貯蔵システムを提供し、それは上記の現在の技術中の問題を解決できる。
【課題を解決するための手段】
【０００５】
上記の課題を解決するため、本発明は以下の技術プランを採用する：本発明の前記ビニール袋収集可能な貯蔵システムは、箱を含み、前記箱の中には後方に開口した開口チャンバが設けられ、前記開口チャンバの中には第一折り畳み板が上下に対称的に、且つ回転できるように設けられ、上下の前記第一折り畳み板の間には第二折り畳み板とヒンジ板とが回転できるように設けられ、前記ヒンジ板が前記第二折り畳み板の右側に位置し、前記開口チャンバの中には折り畳み装置が設けられ、前記ヒンジ板と前記折り畳み装置とが回転できるように連結され、前記第二折り畳み板と前記第一折り畳み板とが前記折り畳み装置に固定的に連結され、ビニール袋を前記第二折り畳み板と、前記第一折り畳み板と、前記ヒンジ板とに平に広げ、前記折り畳み装置は前記第二折り畳み板と前記第一折り畳み板とを回転連動させることができ、これによって前記第二折り畳み板と前記第一折り畳み板とに平に広げられたビニール袋を前記ヒンジ板に折り畳み、前記開口チャンバの左側内壁の中には押し動かし装置が設けられ、前記押し動かし装置は前記ヒンジ板に折り畳まれたビニール袋を押してスライドさせることができ、前記開口チャンバの右側内壁の中には送りチャンバが設けられ、前記送りチャンバの中には回転板が回転できるように設けられ、前記回転板の下端には送り装置が当接しており、前記送り装置は折り畳まれたビニール袋を送ることができ、前記送り装置と前記押し動かし装置とがねじ山によって連結されている。
【０００６】
優選の技術プランとして、前記折り畳み装置は前記開口チャンバの左右内壁の間に上下対称に設けられた回転可能な第一回転軸を含み、前記第一回転軸と前記第一折り畳み板とが固定的に連結され、前記開口チャンバの左側内壁の中にはベルトチャンバが連通するように設けられ、前記ベルトチャンバの中には後側上プーリーと前側上プーリーとが回転できるように設けられ、前記後側上プーリーが前記前側上プーリーの上側に位置し、上側の前記第一回転軸の左端が前記ベルトチャンバの中に伸びており、且つ前記後側上プーリーと固定的に連結され、下側の前記第一回転軸の左端が前記ベルトチャンバの中に伸びており、且つ前記前側上プーリーと固定的に連結され、前記後側上プーリーと前記前側上プーリーとの間にはベルトが連結され、前記ベルトチャンバの下側内壁の中には同期チャンバが連通するように設けられ、前記同期チャンバの中には下プーリーが回転できるように設けられ、前記下プーリーと前記前側上プーリーとの間には同期ベルトが連結され、前記下プーリーの中には回転軸が固定的に連結され、前記同期チャンバの後側内壁の中にはモーター軸チャンバが設けられ、前記回転軸の後端が前記モーター軸チャンバの中に伸びており、且つ第一傘歯車と固定的に連結され、第二傘歯車は前記第一傘歯車の後端に噛合するように連結されることができ、前記第二傘歯車の中には第一モーター軸がスプラインによって連結され、前記モーター軸チャンバの底壁の中には第一モーターが固定的に設けられ、前記第一モーター軸の下端が前記第一モーターに伝動できるように連結され、前記第一モーター軸の円周面には水平傘歯車がスプラインによって連結され、前記水平傘歯車が前記第二傘歯車の上側に位置し、前記水平傘歯車と前記第二傘歯車との間には軸スリーブが固定的に連結され、前記軸スリーブが前記第一モーター軸に回転できるように連結されている。
【０００７】
優選の技術プランとして、前記モーター軸チャンバの後側内壁の中にはバネチャンバが連通するように設けられ、前記バネチャンバの中には電磁石がスライドできるように設けられ、前記電磁石の下端と前記バネチャンバの下側内壁との間にはバネが固定的に連結され、前記電磁石の上端には押板が固定的に連結され、前記押板は前記第二傘歯車を押して昇降させることができる。
【０００８】
優選の技術プランとして、前記押し動かし装置は前記開口チャンバの左側内壁の中に連通するように設けられたスライドチャンバを含み、前記スライドチャンバの上下内壁の間には固定軸が回転できるように設けられ、前記固定軸の円周面にはネジ山ブロックが上下対称に、且つねじ山によって連結され、前記スライドチャンバの中にはスライド板がスライドできるように設けられ、前記スライド板の中には左方に開口したスライドブロックチャンバが設けられ、前記スライドブロックチャンバの中にはスライドブロックが上下に対称的に、且つスライドできるように設けられ、両側の前記スライドブロックと両側の前記ネジ山ブロックとの間にはそれぞれ回転ロッドがヒンジによって連結され、前記ネジ山ブロックはスライドし前記回転ロッドを回転連動させることができ、これによって前記スライド板をスライド連動させ、両側の前記ネジ山ブロックの間には第四傘歯車が回転できるように設けられ、前記第四傘歯車が前記固定軸に固定的に連結され、前記第四傘歯車の後端には第五傘歯車が噛合するように設けられ、前記第五傘歯車の中には縦軸が固定的に連結され、前記スライドチャンバの前側内壁の中には噛合チャンバが設けられ、前記縦軸の前端が前記噛合チャンバの中に伸びており、且つ第六傘歯車と固定的に連結され、前記噛合チャンバの中には第二モーター軸が回転できるように設けられ、前記第二モーター軸の円周面には第七傘歯車が固定的に連結され、前記第七傘歯車の前端が前記第六傘歯車に噛合するように設けられ、前記噛合チャンバの左側内壁の中には第二モーターが固定的に設けられ、前記第二モーター軸の左端が前記第二モーターに伝動できるように連結されている。
【０００９】
優選の技術プランとして、前記固定軸の上下両端のネジ山の方向が逆であり、前記第四傘歯車が回転するとき、前記固定軸により前後二つの前記ネジ山ブロックをスライド連動させて互いに近寄らせあるいは離れさせる。
【００１０】
優選の技術プランとして、前記送り装置は前記送りチャンバの前側内壁の中に設けられた滑りブロック溝を含み、前記滑りブロック溝の中には滑りブロックがスライドできるように設けられ、前記滑りブロックが前記第二モーター軸にねじ山によって連結され、前記滑りブロックの後端には下ヒンジロッドがヒンジによって連結され、前記下ヒンジロッドの後端には上ヒンジロッドがヒンジによって連結され、前記上ヒンジロッドの前端が前記送りチャンバの左側内壁にヒンジによって連結され、前記上ヒンジロッドの後端が前記回転板に当接しており、前記滑りブロックはスライドし前記下ヒンジロッドを回転連動させることができ、これによって前記上ヒンジロッドを回転連動させ、これによって前記回転板を回転連動させることができる。
【００１１】
優選の技術プランとして、前記送りチャンバの上下内壁の間にはトーションバネチャンバが対称的に、且つ連通するように設けられ、前記トーションバネチャンバの中には旋転軸が回転できるように設けられ、前記旋転軸のうち対称中心から離れた一端と前記トーションバネチャンバのうち対称中心から離れた側の内壁との間にはトーションバネが固定的に連結され、前記旋転軸の円周面には回転板が固定的に連結されている。
【００１２】
優選の技術プランとして、有益に、前記送りチャンバの右側内壁の中には空きチャンバが連通するように設けられ、前記空きチャンバの中には右方に開口した収納溝が設けられ、前記回転板にあるビニール袋は収納溝の中に滑り入ることができ、これによって便利にビニール袋を取り出すことができる。
【発明の効果】
【００１３】
本発明はビニール袋を折り畳むことにより、ビニール袋の占めした空間を減らし、送り装置により折り畳まれたビニール袋を送り、ビニール袋を集めることができ、ビニール袋がポイ捨てされることなく、環境を保護できる。
【図面の簡単な説明】
【００１４】
下記に図１〜７をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１５】
【図１】図１は本発明のビニール袋収集可能な貯蔵システムの全体構成略図
【図２】図２は図１のＡ―Ａ方向の構成略図
【図３】図３は図１のＢ―Ｂ方向の構成略図
【図４】図４は図１のＣ―Ｃ方向の構成略図
【図５】図５は図２のＤ―Ｄの拡大略図
【図６】図６は図５のＥ―Ｅ方向の構成略図
【図７】図７は図１のＦの拡大略図
【発明を実施するための形態】
【００１６】
本発明はビニール袋収集可能な貯蔵システムを取り上げ、主にビニール袋の収集に適応され、以下に、付図を合わせて本発明について説明する：
【００１７】
本発明の前記ビニール袋収集可能な貯蔵システムは、箱１０を含み、前記箱１０の中には後方に開口した開口チャンバ３３が設けられ、前記開口チャンバ３３の中には第一折り畳み板１７が上下に対称的に、且つ回転できるように設けられ、上下の前記第一折り畳み板１７の間には第二折り畳み板２６とヒンジ板３２とが回転できるように設けられ、前記ヒンジ板３２が前記第二折り畳み板２６の右側に位置し、前記開口チャンバ３３の中には折り畳み装置１００が設けられ、前記ヒンジ板３２と前記折り畳み装置１００とが回転できるように連結され、前記第二折り畳み板２６と前記第一折り畳み板１７とが前記折り畳み装置１００に固定的に連結され、ビニール袋を前記第二折り畳み板２６と、前記第一折り畳み板１７と、前記ヒンジ板３２とに平に広げ、前記折り畳み装置１００は前記第二折り畳み板２６と前記第一折り畳み板１７とを回転連動させることができ、これによって前記第二折り畳み板２６と前記第一折り畳み板１７とに平に広げられたビニール袋を前記ヒンジ板３２に折り畳み、前記開口チャンバ３３の左側内壁の中には押し動かし装置１０１が設けられ、前記押し動かし装置１０１は前記ヒンジ板３２に折り畳まれたビニール袋を押してスライドさせることができ、前記開口チャンバ３３の右側内壁の中には送りチャンバ６２が設けられ、前記送りチャンバ６２の中には回転板２３が回転できるように設けられ、前記回転板２３の下端には送り装置１０２が当接しており、前記送り装置１０２は折り畳まれたビニール袋を送ることができ、前記送り装置１０２と前記押し動かし装置１０１とがねじ山によって連結されている。
【００１８】
以下に前記折り畳み装置１００について詳しく説明し、前記折り畳み装置１００は前記開口チャンバ３３の左右内壁の間に上下対称に設けられた回転可能な第一回転軸１８を含み、前記第一回転軸１８と前記第一折り畳み板１７とが固定的に連結され、前記開口チャンバ３３の左側内壁の中にはベルトチャンバ１１が連通するように設けられ、前記ベルトチャンバ１１の中には後側上プーリー１２と前側上プーリー１４とが回転できるように設けられ、前記後側上プーリー１２が前記前側上プーリー１４の上側に位置し、上側の前記第一回転軸１８の左端が前記ベルトチャンバ１１の中に伸びており、且つ前記後側上プーリー１２と固定的に連結され、下側の前記第一回転軸１８の左端が前記ベルトチャンバ１１の中に伸びており、且つ前記前側上プーリー１４と固定的に連結され、前記後側上プーリー１２と前記前側上プーリー１４との間にはベルト３１が連結され、前記ベルトチャンバ１１の下側内壁の中には同期チャンバ１６が連通するように設けられ、前記同期チャンバ１６の中には下プーリー３４が回転できるように設けられ、前記下プーリー３４と前記前側上プーリー１４との間には同期ベルト１３が連結され、前記下プーリー３４の中には回転軸３５が固定的に連結され、前記同期チャンバ１６の後側内壁の中にはモーター軸チャンバ６３が設けられ、前記回転軸３５の後端が前記モーター軸チャンバ６３の中に伸びており、且つ第一傘歯車３６と固定的に連結され、第二傘歯車４３は前記第一傘歯車３６の後端に噛合するように連結されることができ、前記第二傘歯車４３の中には第一モーター軸３８がスプラインによって連結され、前記モーター軸チャンバ６３の底壁の中には第一モーター３７が固定的に設けられ、前記第一モーター軸３８の下端が前記第一モーター３７に伝動できるように連結され、前記第一モーター軸３８の円周面には水平傘歯車４５がスプラインによって連結され、前記水平傘歯車４５が前記第二傘歯車４３の上側に位置し、前記水平傘歯車４５と前記第二傘歯車４３との間には軸スリーブ４４が固定的に連結され、前記軸スリーブ４４が前記第一モーター軸３８に回転できるように連結されている。
【００１９】
有益に、前記モーター軸チャンバ６３の後側内壁の中にはバネチャンバ４０が連通するように設けられ、前記バネチャンバ４０の中には電磁石４１がスライドできるように設けられ、前記電磁石４１の下端と前記バネチャンバ４０の下側内壁との間にはバネ３９が固定的に連結され、前記電磁石４１の上端には押板４２が固定的に連結され、前記押板４２は前記第二傘歯車４３を押して昇降させることができる。
【００２０】
以下に前記押し動かし装置１０１について詳しく説明し、前記押し動かし装置１０１は前記開口チャンバ３３の左側内壁の中に連通するように設けられたスライドチャンバ４７を含み、前記スライドチャンバ４７の上下内壁の間には固定軸４９が回転できるように設けられ、前記固定軸４９の円周面にはネジ山ブロック５９が上下対称に、且つねじ山によって連結され、前記スライドチャンバ４７の中にはスライド板４８がスライドできるように設けられ、前記スライド板４８の中には左方に開口したスライドブロックチャンバ６０が設けられ、前記スライドブロックチャンバ６０の中にはスライドブロック６１が上下に対称的に、且つスライドできるように設けられ、両側の前記スライドブロック６１と両側の前記ネジ山ブロック５９との間にはそれぞれ回転ロッド５４がヒンジによって連結され、前記ネジ山ブロック５９はスライドし前記回転ロッド５４を回転連動させることができ、これによって前記スライド板４８をスライド連動させ、両側の前記ネジ山ブロック５９の間には第四傘歯車５５が回転できるように設けられ、前記第四傘歯車５５が前記固定軸４９に固定的に連結され、前記第四傘歯車５５の後端には第五傘歯車５６が噛合するように設けられ、前記第五傘歯車５６の中には縦軸５７が固定的に連結され、前記スライドチャンバ４７の前側内壁の中には噛合チャンバ５０が設けられ、前記縦軸５７の前端が前記噛合チャンバ５０の中に伸びており、且つ第六傘歯車５３と固定的に連結され、前記噛合チャンバ５０の中には第二モーター軸５１が回転できるように設けられ、前記第二モーター軸５１の円周面には第七傘歯車５２が固定的に連結され、前記第七傘歯車５２の前端が前記第六傘歯車５３に噛合するように設けられ、前記噛合チャンバ５０の左側内壁の中には第二モーター５８が固定的に設けられ、前記第二モーター軸５１の左端が前記第二モーター５８に伝動できるように連結されている。
【００２１】
有益に、前記固定軸４９の上下両端のネジ山の方向が逆であり、前記第四傘歯車５５が回転するとき、前記固定軸４９により前後二つの前記ネジ山ブロック５９をスライド連動させて互いに近寄らせあるいは離れさせる。
【００２２】
以下に送り装置１０２について詳しく説明し、前記送り装置１０２は前記送りチャンバ６２の前側内壁の中に設けられた滑りブロック溝３０を含み、前記滑りブロック溝３０の中には滑りブロック２９がスライドできるように設けられ、前記滑りブロック２９が前記第二モーター軸５１にねじ山によって連結され、前記滑りブロック２９の後端には下ヒンジロッド２８がヒンジによって連結され、前記下ヒンジロッド２８の後端には上ヒンジロッド２７がヒンジによって連結され、前記上ヒンジロッド２７の前端が前記送りチャンバ６２の左側内壁にヒンジによって連結され、前記上ヒンジロッド２７の後端が前記回転板２３に当接しており、前記滑りブロック２９はスライドし前記下ヒンジロッド２８を回転連動させることができ、これによって前記上ヒンジロッド２７を回転連動させ、これによって前記回転板２３を回転連動させることができる。
【００２３】
有益に、前記送りチャンバ６２の上下内壁の間にはトーションバネチャンバ２２が対称的に、且つ連通するように設けられ、前記トーションバネチャンバ２２の中には旋転軸２０が回転できるように設けられ、前記旋転軸２０のうち対称中心から離れた一端と前記トーションバネチャンバ２２のうち対称中心から離れた側の内壁との間にはトーションバネ２１が固定的に連結され、前記旋転軸２０の円周面には回転板２３が固定的に連結され、前記トーションバネ２１は前記回転板２３を回転連動させることができる。
【００２４】
有益に、前記送りチャンバ６２の右側内壁の中には空きチャンバ６６が連通するように設けられ、前記空きチャンバ６６の中には右方に開口した収納溝２４が設けられ、前記回転板２３にあるビニール袋は収納溝２４の中に滑り入ることができ、これによって便利にビニール袋を取り出すことができる。
【００２５】
以下に付図を合わせて本発明のビニール袋収集可能な貯蔵システムの使用手順について詳しく説明する：
【００２６】
初期状態に、トーションバネ２１が張っている状態にあり、電磁石４１が通電されていなく、水平傘歯車４５と第三傘歯車４６とが噛合しており、第二折り畳み板２６と、ヒンジ板３２と、回転板２３とが水平状態にある。
【００２７】
使用するとき、手動でビニール袋全体を第二折り畳み板２６と、第一折り畳み板１７と、ヒンジ板３２とに平に広げ、電磁石４１が通電され、これによって電磁石４１がバネチャンバ４０の中でスライドし、これによってバネ３９を圧縮し、同時に押板４２をスライド連動させ、これによって第二傘歯車４３をスライド連動させ、第二傘歯車４３と第一傘歯車３６とを噛合させ、第一モーター３７を始動し、これによって第一モーター軸３８が回転し、これによって軸スリーブ４４を回転連動させ、これによって第二傘歯車４３を回転連動させ、これによって第一傘歯車３６を回転連動させ、これによって回転軸３５を回転連動させ、これによって下プーリー３４を回転連動させ、これによって同期ベルト１３をスライド連動させ、これによって前側上プーリー１４を回転連動させ、これによってベルト３１を回転連動させ、これによって同時に上下の第一回転軸１８を回転連動させ、これによって上下の第一折り畳み板１７を回転連動させ、これによって第一折り畳み板１７にあるビニール袋を第二折り畳み板２６とヒンジ板３２とに二つに折り畳み、このとき第一モーター３７が逆回転し、これによってベルトチャンバ１１を初期位置に反転連動させ、このとき第一モーター３７が止まり、電磁石４１の通電状態が解除され、水平傘歯車４５と第三傘歯車４６とが噛合し、第一モーター３７を始動し、これによって第一モーター軸３８を回転連動させ、これによって軸スリーブ４４を回転連動させ、これによって水平傘歯車４５を回転連動させ、これによって第三傘歯車４６を回転連動させ、これによって第二回転軸２５を回転連動させ、これによって第二折り畳み板２６を回転連動させ、これによって第二折り畳み板２６にあるビニール袋をヒンジ板３２に二つに折り畳み、このとき第一モーター３７が逆回転し、これによって第二折り畳み板２６を初期状態に反転連動させ、このとき第一モーター軸３８が止まる。
【００２８】
ビニール袋を送る時、第二モーター５８を始動し、これによって第二モーター軸５１を回転連動させ、これによって第七傘歯車５２を回転連動させ、これによって第六傘歯車５３を回転連動させ、これによって縦軸５７を回転連動させ、これによって第五傘歯車５６を回転連動させ、これによって第四傘歯車５５を回転連動させ、これによって固定軸４９を回転連動させ、これによって前後のネジ山ブロック５９を同時にスライド連動させ、これによって回転ロッド５４をスライド連動させ、これによってスライド板４８をスライド連動させ、これによってスライド板４８がヒンジ板３２に折り畳まれたビニール袋を押して回転板２３に辿るまでスライドさせ、同時に第二モーター軸５１が回転し滑りブロック２９をスライド連動させ、これによって下ヒンジロッド２８を回転連動させ、これによって上ヒンジロッド２７を回転連動させ、これによって回転板２３を回転連動させ、これによってビニール袋を送りチャンバ６２の中から空きチャンバ６６の中までスライドさせ、これによってビニール袋が収納溝２４の中に落ち、ビニール袋を使おうとする時、収納溝２４の中から取って使えばいい。
【００２９】
本発明の有益効果は：本発明はビニール袋を折り畳むことにより、ビニール袋の占めした空間を減らし、送り装置により折り畳まれたビニール袋を送り、ビニール袋を集めることができ、ビニール袋がポイ捨てされることなく、環境を保護できる。
【００３０】
以上の方式により、本分野の技術者は本発明の範囲内に作動モードにより各種な変化を加えることができる。
@@@@@@end
【手続補正書】
【提出日】令和2年4月10日(2020.4.10)
【手続補正１】
【補正対象書類名】特許請求の範囲
【補正対象項目名】全文
【補正方法】変更
【補正の内容】
【特許請求の範囲】
【請求項１】
正面視で、箱を含み、
前記箱の中には後方に開口した開口チャンバが設けられ、前記開口チャンバの中には第一折り畳み板が上下に対称的に、且つ回転できるように設けられ、上下の前記第一折り畳み板の間には第二折り畳み板とヒンジ板とが回転できるように設けられ、前記ヒンジ板が前記第二折り畳み板の右側に位置し、前記開口チャンバの中には折り畳み装置が設けられ、前記ヒンジ板と前記折り畳み装置とが回転できるように連結され、前記第二折り畳み板と前記第一折り畳み板とが前記折り畳み装置に固定的に連結され、ビニール袋を前記第二折り畳み板と、前記第一折り畳み板と、前記ヒンジ板とに平に広げ、前記折り畳み装置は前記第二折り畳み板と前記第一折り畳み板とを回転連動させることができ、これによって前記第二折り畳み板と前記第一折り畳み板とに平に広げられたビニール袋を前記ヒンジ板に折り畳み、
前記開口チャンバの左側内壁の中には押し動かし装置が設けられ、前記押し動かし装置は前記ヒンジ板に折り畳まれたビニール袋を押してスライドさせることができ、
前記開口チャンバの右側内壁の中には送りチャンバが設けられ、前記送りチャンバの中には回転板が回転できるように設けられ、前記回転板の下端には送り装置が当接しており、前記送り装置は折り畳まれたビニール袋を送ることができ、前記送り装置と前記押し動かし装置とがねじ山によって連結され、
前記押し動かし装置は前記開口チャンバの左側内壁の中に連通するように設けられたスライドチャンバを含み、前記スライドチャンバの上下内壁の間には固定軸が回転できるように設けられ、前記固定軸の円周面にはネジ山ブロックが上下対称に、且つねじ山によって連結され、前記スライドチャンバの中にはスライド板がスライドできるように設けられ、前記スライド板の中には左方に開口したスライドブロックチャンバが設けられ、前記スライドブロックチャンバの中にはスライドブロックが上下に対称的に、且つスライドできるように設けられ、両側の前記スライドブロックと両側の前記ネジ山ブロックとの間にはそれぞれ回転ロッドがヒンジによって連結され、前記ネジ山ブロックはスライドし前記回転ロッドを回転連動させることができ、これによって前記スライド板をスライド連動させ、両側の前記ネジ山ブロックの間には第四傘歯車が回転できるように設けられ、前記第四傘歯車が前記固定軸に固定的に連結され、前記第四傘歯車の前端には第五傘歯車が噛合するように設けられ、前記第五傘歯車の中には縦軸が固定的に連結され、前記スライドチャンバの前側内壁の中には噛合チャンバが設けられ、前記縦軸の前端が前記噛合チャンバの中に伸びており、且つ第六傘歯車と固定的に連結され、前記噛合チャンバの中には第二モーター軸が回転できるように設けられ、前記第二モーター軸の円周面には第七傘歯車が固定的に連結され、前記第七傘歯車の後端が前記第六傘歯車に噛合するように設けられ、前記噛合チャンバの左側内壁の中には第二モーターが固定的に設けられ、前記第二モーター軸の左端が前記第二モーターに伝動できるように連結され、
前記固定軸の上下両端のネジ山の方向が逆であり、前記第四傘歯車が回転するとき、前記固定軸により前後二つの前記ネジ山ブロックをスライド連動させて互いに近寄らせあるいは離れさせ、
前記送り装置は前記送りチャンバの前側内壁の中に設けられた滑りブロック溝を含み、前記滑りブロック溝の中には滑りブロックがスライドできるように設けられ、前記滑りブロックが前記第二モーター軸にねじ山によって連結され、前記滑りブロックの後端には下ヒンジロッドがヒンジによって連結され、前記下ヒンジロッドの後端には上ヒンジロッドがヒンジによって連結され、前記上ヒンジロッドの前端が前記送りチャンバの左側内壁にヒンジによって連結され、前記上ヒンジロッドの後端が前記回転板に当接し、
前記送りチャンバの上下内壁の間にはトーションバネチャンバが対称的に、且つ連通するように設けられ、前記トーションバネチャンバの中には旋転軸が回転できるように設けられ、前記旋転軸のうち対称中心から離れた一端と前記トーションバネチャンバのうち対称中心から離れた側の内壁との間にはトーションバネが固定的に連結され、前記旋転軸の円周面には回転板が固定的に連結され、
前記送りチャンバの右側内壁の中には空きチャンバが連通するように設けられ、前記空きチャンバの中には右方に開口した収納溝が設けられていることを特徴とするビニール袋収集可能な貯蔵システム。
【請求項２】
前記折り畳み装置は前記開口チャンバの左右内壁の間に上下対称に設けられた回転可能な第一回転軸を含み、前記第一回転軸と前記第一折り畳み板とが固定的に連結され、前記開口チャンバの左側内壁の中にはベルトチャンバが連通するように設けられ、前記ベルトチャンバの中には後側上プーリーと前側上プーリーとが回転できるように設けられ、前記後側上プーリーが前記前側上プーリーの上側に位置し、上側の前記第一回転軸の左端が前記ベルトチャンバの中に伸びており、且つ前記後側上プーリーと固定的に連結され、下側の前記第一回転軸の左端が前記ベルトチャンバの中に伸びており、且つ前記前側上プーリーと固定的に連結され、前記後側上プーリーと前記前側上プーリーとの間にはベルトが連結され、前記ベルトチャンバの前側内壁の中には同期チャンバが連通するように設けられ、前記同期チャンバの中には下プーリーが回転できるように設けられ、前記下プーリーと前記前側上プーリーとの間には同期ベルトが連結され、前記下プーリーの中には回転軸が固定的に連結され、前記同期チャンバの右側内壁の中にはモーター軸チャンバが設けられ、前記回転軸の右端が前記モーター軸チャンバの中に伸びており、且つ第一傘歯車と固定的に連結され、第二傘歯車は前記第一傘歯車の後端に噛合するように連結されることができ、前記第二傘歯車の中には第一モーター軸がスプラインによって連結され、前記モーター軸チャンバの底壁の中には第一モーターが固定的に設けられ、前記第一モーター軸の前端が前記第一モーターに伝動できるように連結され、前記第一モーター軸の円周面には水平傘歯車がスプラインによって連結され、前記水平傘歯車が前記第二傘歯車の後側に位置し、前記水平傘歯車と前記第二傘歯車との間には軸スリーブが固定的に連結され、前記軸スリーブが前記第一モーター軸に回転できるように連結されていることを特徴とする請求項１に記載のビニール袋収集可能な貯蔵システム。
【請求項３】
前記モーター軸チャンバの右側内壁の中にはバネチャンバが連通するように設けられ、前記バネチャンバの中には電磁石がスライドできるように設けられ、前記電磁石の下端と前記バネチャンバの下側内壁との間にはバネが固定的に連結され、前記電磁石の上端には押板が固定的に連結されていることを特徴とする請求項２に記載のビニール袋収集可能な貯蔵システム。
【手続補正２】
【補正対象書類名】明細書
【補正対象項目名】全文
【補正方法】変更
【補正の内容】
【発明の詳細な説明】
【技術分野】
【０００１】
本発明は環境保護分野を取り上げて、具体的にはビニール袋収集可能な貯蔵システムである。
【背景技術】
【０００２】
生活の中で、ビニール袋はよく使用されており、しかし使用後に随意に置かれ、また使用しようとする時にすぐ見つけることができなく、また、ビニール袋をポイ捨てすると環境を汚染し、従って、ビニール袋を収集できる貯蔵システムを設計する必要があり、本発明はビニール袋を折り畳むことにより、ビニール袋が占めした空間を減らし、送り装置により折り畳まれたビニール袋を送り、ビニール袋を集めることができ、使用者がビニール袋を使おうとする時、ビニール袋を探すことにかかる時間を有効に減らし、環境を保護できる。
【先行技術文献】
【特許文献】
【０００３】
【特許文献１】中国特許出願公開第１０７９１４９２４号明細書
【発明の概要】
【発明が解決しようとする課題】
【０００４】
本発明の目的はビニール袋収集可能な貯蔵システムを提供し、それは上記の現在の技術中の問題を解決できる。
【課題を解決するための手段】
【０００５】
上記の課題を解決するため、本発明は以下の技術プランを採用する：本発明の前記ビニール袋収集可能な貯蔵システムは、箱を含み、前記箱の中には後方に開口した開口チャンバが設けられ、前記開口チャンバの中には第一折り畳み板が上下に対称的に、且つ回転できるように設けられ、上下の前記第一折り畳み板の間には第二折り畳み板とヒンジ板とが回転できるように設けられ、前記ヒンジ板が前記第二折り畳み板の右側に位置し、前記開口チャンバの中には折り畳み装置が設けられ、前記ヒンジ板と前記折り畳み装置とが回転できるように連結され、前記第二折り畳み板と前記第一折り畳み板とが前記折り畳み装置に固定的に連結され、ビニール袋を前記第二折り畳み板と、前記第一折り畳み板と、前記ヒンジ板とに平に広げ、前記折り畳み装置は前記第二折り畳み板と前記第一折り畳み板とを回転連動させることができ、これによって前記第二折り畳み板と前記第一折り畳み板とに平に広げられたビニール袋を前記ヒンジ板に折り畳み、前記開口チャンバの左側内壁の中には押し動かし装置が設けられ、前記押し動かし装置は前記ヒンジ板に折り畳まれたビニール袋を押してスライドさせることができ、前記開口チャンバの右側内壁の中には送りチャンバが設けられ、前記送りチャンバの中には回転板が回転できるように設けられ、前記回転板の下端には送り装置が当接しており、前記送り装置は折り畳まれたビニール袋を送ることができ、前記送り装置と前記押し動かし装置とがねじ山によって連結されている。
【０００６】
優選の技術プランとして、前記折り畳み装置は前記開口チャンバの左右内壁の間に上下対称に設けられた回転可能な第一回転軸を含み、前記第一回転軸と前記第一折り畳み板とが固定的に連結され、前記開口チャンバの左側内壁の中にはベルトチャンバが連通するように設けられ、前記ベルトチャンバの中には後側上プーリーと前側上プーリーとが回転できるように設けられ、前記後側上プーリーが前記前側上プーリーの上側に位置し、上側の前記第一回転軸の左端が前記ベルトチャンバの中に伸びており、且つ前記後側上プーリーと固定的に連結され、下側の前記第一回転軸の左端が前記ベルトチャンバの中に伸びており、且つ前記前側上プーリーと固定的に連結され、前記後側上プーリーと前記前側上プーリーとの間にはベルトが連結され、前記ベルトチャンバの前側内壁の中には同期チャンバが連通するように設けられ、前記同期チャンバの中には下プーリーが回転できるように設けられ、前記下プーリーと前記前側上プーリーとの間には同期ベルトが連結され、前記下プーリーの中には回転軸が固定的に連結され、前記同期チャンバの右側内壁の中にはモーター軸チャンバが設けられ、前記回転軸の右端が前記モーター軸チャンバの中に伸びており、且つ第一傘歯車と固定的に連結され、第二傘歯車は前記第一傘歯車の後端に噛合するように連結されることができ、前記第二傘歯車の中には第一モーター軸がスプラインによって連結され、前記モーター軸チャンバの底壁の中には第一モーターが固定的に設けられ、前記第一モーター軸の前端が前記第一モーターに伝動できるように連結され、前記第一モーター軸の円周面には水平傘歯車がスプラインによって連結され、前記水平傘歯車が前記第二傘歯車の後側に位置し、前記水平傘歯車と前記第二傘歯車との間には軸スリーブが固定的に連結され、前記軸スリーブが前記第一モーター軸に回転できるように連結されている。
【０００７】
優選の技術プランとして、前記モーター軸チャンバの右側内壁の中にはバネチャンバが連通するように設けられ、前記バネチャンバの中には電磁石がスライドできるように設けられ、前記電磁石の下端と前記バネチャンバの下側内壁との間にはバネが固定的に連結され、前記電磁石の上端には押板が固定的に連結され、前記押板は前記第二傘歯車を押して昇降させることができる。
【０００８】
優選の技術プランとして、前記押し動かし装置は前記開口チャンバの左側内壁の中に連通するように設けられたスライドチャンバを含み、前記スライドチャンバの上下内壁の間には固定軸が回転できるように設けられ、前記固定軸の円周面にはネジ山ブロックが上下対称に、且つねじ山によって連結され、前記スライドチャンバの中にはスライド板がスライドできるように設けられ、前記スライド板の中には左方に開口したスライドブロックチャンバが設けられ、前記スライドブロックチャンバの中にはスライドブロックが上下に対称的に、且つスライドできるように設けられ、両側の前記スライドブロックと両側の前記ネジ山ブロックとの間にはそれぞれ回転ロッドがヒンジによって連結され、前記ネジ山ブロックはスライドし前記回転ロッドを回転連動させることができ、これによって前記スライド板をスライド連動させ、両側の前記ネジ山ブロックの間には第四傘歯車が回転できるように設けられ、前記第四傘歯車が前記固定軸に固定的に連結され、前記第四傘歯車の前端には第五傘歯車が噛合するように設けられ、前記第五傘歯車の中には縦軸が固定的に連結され、前記スライドチャンバの前側内壁の中には噛合チャンバが設けられ、前記縦軸の前端が前記噛合チャンバの中に伸びており、且つ第六傘歯車と固定的に連結され、前記噛合チャンバの中には第二モーター軸が回転できるように設けられ、前記第二モーター軸の円周面には第七傘歯車が固定的に連結され、前記第七傘歯車の後端が前記第六傘歯車に噛合するように設けられ、前記噛合チャンバの左側内壁の中には第二モーターが固定的に設けられ、前記第二モーター軸の左端が前記第二モーターに伝動できるように連結されている。
【０００９】
優選の技術プランとして、前記固定軸の上下両端のネジ山の方向が逆であり、前記第四傘歯車が回転するとき、前記固定軸により前後二つの前記ネジ山ブロックをスライド連動させて互いに近寄らせあるいは離れさせる。
【００１０】
優選の技術プランとして、前記送り装置は前記送りチャンバの前側内壁の中に設けられた滑りブロック溝を含み、前記滑りブロック溝の中には滑りブロックがスライドできるように設けられ、前記滑りブロックが前記第二モーター軸にねじ山によって連結され、前記滑りブロックの後端には下ヒンジロッドがヒンジによって連結され、前記下ヒンジロッドの後端には上ヒンジロッドがヒンジによって連結され、前記上ヒンジロッドの前端が前記送りチャンバの左側内壁にヒンジによって連結され、前記上ヒンジロッドの後端が前記回転板に当接しており、前記滑りブロックはスライドし前記下ヒンジロッドを回転連動させることができ、これによって前記上ヒンジロッドを回転連動させ、これによって前記回転板を回転連動させることができる。
【００１１】
優選の技術プランとして、前記送りチャンバの上下内壁の間にはトーションバネチャンバが対称的に、且つ連通するように設けられ、前記トーションバネチャンバの中には旋転軸が回転できるように設けられ、前記旋転軸のうち対称中心から離れた一端と前記トーションバネチャンバのうち対称中心から離れた側の内壁との間にはトーションバネが固定的に連結され、前記旋転軸の円周面には回転板が固定的に連結されている。
【００１２】
優選の技術プランとして、有益に、前記送りチャンバの右側内壁の中には空きチャンバが連通するように設けられ、前記空きチャンバの中には右方に開口した収納溝が設けられ、前記回転板にあるビニール袋は収納溝の中に滑り入ることができ、これによって便利にビニール袋を取り出すことができる。
【発明の効果】
【００１３】
本発明はビニール袋を折り畳むことにより、ビニール袋の占めした空間を減らし、送り装置により折り畳まれたビニール袋を送り、ビニール袋を集めることができ、ビニール袋がポイ捨てされることなく、環境を保護できる。
【図面の簡単な説明】
【００１４】
下記に図１〜７をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１５】
【図１】図１は本発明のビニール袋収集可能な貯蔵システムの全体構成略図
【図２】図２は図１のＡ―Ａ方向の構成略図
【図３】図３は図１のＢ―Ｂ方向の構成略図
【図４】図４は図１のＣ―Ｃ方向の構成略図
【図５】図５は図２のＤ―Ｄの拡大略図
【図６】図６は図５のＥ―Ｅ方向の構成略図
【図７】図７は図１のＦの拡大略図
【発明を実施するための形態】
【００１６】
本発明はビニール袋収集可能な貯蔵システムを取り上げ、主にビニール袋の収集に適応され、以下に、付図を合わせて本発明について説明する：
【００１７】
本発明の前記ビニール袋収集可能な貯蔵システムは、箱１０を含み、前記箱１０の中には後方に開口した開口チャンバ３３が設けられ、前記開口チャンバ３３の中には第一折り畳み板１７が上下に対称的に、且つ回転できるように設けられ、上下の前記第一折り畳み板１７の間には第二折り畳み板２６とヒンジ板３２とが回転できるように設けられ、前記ヒンジ板３２が前記第二折り畳み板２６の右側に位置し、前記開口チャンバ３３の中には折り畳み装置１００が設けられ、前記ヒンジ板３２と前記折り畳み装置１００とが回転できるように連結され、前記第二折り畳み板２６と前記第一折り畳み板１７とが前記折り畳み装置１００に固定的に連結され、ビニール袋を前記第二折り畳み板２６と、前記第一折り畳み板１７と、前記ヒンジ板３２とに平に広げ、前記折り畳み装置１００は前記第二折り畳み板２６と前記第一折り畳み板１７とを回転連動させることができ、これによって前記第二折り畳み板２６と前記第一折り畳み板１７とに平に広げられたビニール袋を前記ヒンジ板３２に折り畳み、前記開口チャンバ３３の左側内壁の中には押し動かし装置１０１が設けられ、前記押し動かし装置１０１は前記ヒンジ板３２に折り畳まれたビニール袋を押してスライドさせることができ、前記開口チャンバ３３の右側内壁の中には送りチャンバ６２が設けられ、前記送りチャンバ６２の中には回転板２３が回転できるように設けられ、前記回転板２３の下端には送り装置１０２が当接しており、前記送り装置１０２は折り畳まれたビニール袋を送ることができ、前記送り装置１０２と前記押し動かし装置１０１とがねじ山によって連結されている。
【００１８】
以下に前記折り畳み装置１００について詳しく説明し、前記折り畳み装置１００は前記開口チャンバ３３の左右内壁の間に上下対称に設けられた回転可能な第一回転軸１８を含み、前記第一回転軸１８と前記第一折り畳み板１７とが固定的に連結され、前記開口チャンバ３３の左側内壁の中にはベルトチャンバ１１が連通するように設けられ、前記ベルトチャンバ１１の中には後側上プーリー１２と前側上プーリー１４とが回転できるように設けられ、前記後側上プーリー１２が前記前側上プーリー１４の上側に位置し、上側の前記第一回転軸１８の左端が前記ベルトチャンバ１１の中に伸びており、且つ前記後側上プーリー１２と固定的に連結され、下側の前記第一回転軸１８の左端が前記ベルトチャンバ１１の中に伸びており、且つ前記前側上プーリー１４と固定的に連結され、前記後側上プーリー１２と前記前側上プーリー１４との間にはベルト３１が連結され、前記ベルトチャンバ１１の前側内壁の中には同期チャンバ１６が連通するように設けられ、前記同期チャンバ１６の中には下プーリー３４が回転できるように設けられ、前記下プーリー３４と前記前側上プーリー１４との間には同期ベルト１３が連結され、前記下プーリー３４の中には回転軸３５が固定的に連結され、前記同期チャンバ１６の右側内壁の中にはモーター軸チャンバ６３が設けられ、前記回転軸３５の右端が前記モーター軸チャンバ６３の中に伸びており、且つ第一傘歯車３６と固定的に連結され、第二傘歯車４３は前記第一傘歯車３６の後端に噛合するように連結されることができ、前記第二傘歯車４３の中には第一モーター軸３８がスプラインによって連結され、前記モーター軸チャンバ６３の底壁の中には第一モーター３７が固定的に設けられ、前記第一モーター軸３８の前端が前記第一モーター３７に伝動できるように連結され、前記第一モーター軸３８の円周面には水平傘歯車４５がスプラインによって連結され、前記水平傘歯車４５が前記第二傘歯車４３の後側に位置し、前記水平傘歯車４５と前記第二傘歯車４３との間には軸スリーブ４４が固定的に連結され、前記軸スリーブ４４が前記第一モーター軸３８に回転できるように連結されている。
【００１９】
有益に、前記モーター軸チャンバ６３の右側内壁の中にはバネチャンバ４０が連通するように設けられ、前記バネチャンバ４０の中には電磁石４１がスライドできるように設けられ、前記電磁石４１の下端と前記バネチャンバ４０の下側内壁との間にはバネ３９が固定的に連結され、前記電磁石４１の上端には押板４２が固定的に連結され、前記押板４２は前記第二傘歯車４３を押して昇降させることができる。
【００２０】
以下に前記押し動かし装置１０１について詳しく説明し、前記押し動かし装置１０１は前記開口チャンバ３３の左側内壁の中に連通するように設けられたスライドチャンバ４７を含み、前記スライドチャンバ４７の上下内壁の間には固定軸４９が回転できるように設けられ、前記固定軸４９の円周面にはネジ山ブロック５９が上下対称に、且つねじ山によって連結され、前記スライドチャンバ４７の中にはスライド板４８がスライドできるように設けられ、前記スライド板４８の中には左方に開口したスライドブロックチャンバ６０が設けられ、前記スライドブロックチャンバ６０の中にはスライドブロック６１が上下に対称的に、且つスライドできるように設けられ、両側の前記スライドブロック６１と両側の前記ネジ山ブロック５９との間にはそれぞれ回転ロッド５４がヒンジによって連結され、前記ネジ山ブロック５９はスライドし前記回転ロッド５４を回転連動させることができ、これによって前記スライド板４８をスライド連動させ、両側の前記ネジ山ブロック５９の間には第四傘歯車５５が回転できるように設けられ、前記第四傘歯車５５が前記固定軸４９に固定的に連結され、前記第四傘歯車５５の前端には第五傘歯車５６が噛合するように設けられ、前記第五傘歯車５６の中には縦軸５７が固定的に連結され、前記スライドチャンバ４７の前側内壁の中には噛合チャンバ５０が設けられ、前記縦軸５７の前端が前記噛合チャンバ５０の中に伸びており、且つ第六傘歯車５３と固定的に連結され、前記噛合チャンバ５０の中には第二モーター軸５１が回転できるように設けられ、前記第二モーター軸５１の円周面には第七傘歯車５２が固定的に連結され、前記第七傘歯車５２の後端が前記第六傘歯車５３に噛合するように設けられ、前記噛合チャンバ５０の左側内壁の中には第二モーター５８が固定的に設けられ、前記第二モーター軸５１の左端が前記第二モーター５８に伝動できるように連結されている。
【００２１】
有益に、前記固定軸４９の上下両端のネジ山の方向が逆であり、前記第四傘歯車５５が回転するとき、前記固定軸４９により前後二つの前記ネジ山ブロック５９をスライド連動させて互いに近寄らせあるいは離れさせる。
【００２２】
以下に送り装置１０２について詳しく説明し、前記送り装置１０２は前記送りチャンバ６２の前側内壁の中に設けられた滑りブロック溝３０を含み、前記滑りブロック溝３０の中には滑りブロック２９がスライドできるように設けられ、前記滑りブロック２９が前記第二モーター軸５１にねじ山によって連結され、前記滑りブロック２９の後端には下ヒンジロッド２８がヒンジによって連結され、前記下ヒンジロッド２８の後端には上ヒンジロッド２７がヒンジによって連結され、前記上ヒンジロッド２７の前端が前記送りチャンバ６２の左側内壁にヒンジによって連結され、前記上ヒンジロッド２７の後端が前記回転板２３に当接しており、前記滑りブロック２９はスライドし前記下ヒンジロッド２８を回転連動させることができ、これによって前記上ヒンジロッド２７を回転連動させ、これによって前記回転板２３を回転連動させることができる。
【００２３】
有益に、前記送りチャンバ６２の上下内壁の間にはトーションバネチャンバ２２が対称的に、且つ連通するように設けられ、前記トーションバネチャンバ２２の中には旋転軸２０が回転できるように設けられ、前記旋転軸２０のうち対称中心から離れた一端と前記トーションバネチャンバ２２のうち対称中心から離れた側の内壁との間にはトーションバネ２１が固定的に連結され、前記旋転軸２０の円周面には回転板２３が固定的に連結され、前記トーションバネ２１は前記回転板２３を回転連動させることができる。
【００２４】
有益に、前記送りチャンバ６２の右側内壁の中には空きチャンバ６６が連通するように設けられ、前記空きチャンバ６６の中には右方に開口した収納溝２４が設けられ、前記回転板２３にあるビニール袋は収納溝２４の中に滑り入ることができ、これによって便利にビニール袋を取り出すことができる。
【００２５】
以下に付図を合わせて本発明のビニール袋収集可能な貯蔵システムの使用手順について詳しく説明する：
【００２６】
初期状態に、トーションバネ２１が張っている状態にあり、電磁石４１が通電されていなく、水平傘歯車４５と第三傘歯車４６とが噛合しており、第二折り畳み板２６と、ヒンジ板３２と、回転板２３とが水平状態にある。
【００２７】
使用するとき、手動でビニール袋全体を第二折り畳み板２６と、第一折り畳み板１７と、ヒンジ板３２とに平に広げ、電磁石４１が通電され、これによって電磁石４１がバネチャンバ４０の中でスライドし、これによってバネ３９を圧縮し、同時に押板４２をスライド連動させ、これによって第二傘歯車４３をスライド連動させ、第二傘歯車４３と第一傘歯車３６とを噛合させ、第一モーター３７を始動し、これによって第一モーター軸３８が回転し、これによって軸スリーブ４４を回転連動させ、これによって第二傘歯車４３を回転連動させ、これによって第一傘歯車３６を回転連動させ、これによって回転軸３５を回転連動させ、これによって下プーリー３４を回転連動させ、これによって同期ベルト１３をスライド連動させ、これによって前側上プーリー１４を回転連動させ、これによってベルト３１を回転連動させ、これによって同時に上下の第一回転軸１８を回転連動させ、これによって上下の第一折り畳み板１７を回転連動させ、これによって第一折り畳み板１７にあるビニール袋を第二折り畳み板２６とヒンジ板３２とに二つに折り畳み、このとき第一モーター３７が逆回転し、これによってベルトチャンバ１１を初期位置に反転連動させ、このとき第一モーター３７が止まり、電磁石４１の通電状態が解除され、水平傘歯車４５と第三傘歯車４６とが噛合し、第一モーター３７を始動し、これによって第一モーター軸３８を回転連動させ、これによって軸スリーブ４４を回転連動させ、これによって水平傘歯車４５を回転連動させ、これによって第三傘歯車４６を回転連動させ、これによって第二回転軸２５を回転連動させ、これによって第二折り畳み板２６を回転連動させ、これによって第二折り畳み板２６にあるビニール袋をヒンジ板３２に二つに折り畳み、このとき第一モーター３７が逆回転し、これによって第二折り畳み板２６を初期状態に反転連動させ、このとき第一モーター軸３８が止まる。
【００２８】
ビニール袋を送る時、第二モーター５８を始動し、これによって第二モーター軸５１を回転連動させ、これによって第七傘歯車５２を回転連動させ、これによって第六傘歯車５３を回転連動させ、これによって縦軸５７を回転連動させ、これによって第五傘歯車５６を回転連動させ、これによって第四傘歯車５５を回転連動させ、これによって固定軸４９を回転連動させ、これによって前後のネジ山ブロック５９を同時にスライド連動させ、これによって回転ロッド５４をスライド連動させ、これによってスライド板４８をスライド連動させ、これによってスライド板４８がヒンジ板３２に折り畳まれたビニール袋を押して回転板２３に辿るまでスライドさせ、同時に第二モーター軸５１が回転し滑りブロック２９をスライド連動させ、これによって下ヒンジロッド２８を回転連動させ、これによって上ヒンジロッド２７を回転連動させ、これによって回転板２３を回転連動させ、これによってビニール袋を送りチャンバ６２の中から空きチャンバ６６の中までスライドさせ、これによってビニール袋が収納溝２４の中に落ち、ビニール袋を使おうとする時、収納溝２４の中から取って使えばいい。
【００２９】
本発明の有益効果は：本発明はビニール袋を折り畳むことにより、ビニール袋の占めした空間を減らし、送り装置により折り畳まれたビニール袋を送り、ビニール袋を集めることができ、ビニール袋がポイ捨てされることなく、環境を保護できる。
【００３０】
以上の方式により、本分野の技術者は本発明の範囲内に作動モードにより各種な変化を加えることができる。